(57)【要約】【課題】必要に応じて非接触式ＩＣカード機能を容易に分離することが可能で、より一層、利便性の向上が図れる非接触式ＩＣカード機能搭載携帯端末装置を提供する。【解決手段】携帯電話機としての携帯端末装置に非接触式ＩＣカード機能を搭載し、非接触式ＩＣカード機能のアンテナ、あるいは、ＩＣモジュール、あるいは、アンテナおよびＩＣモジュール（非接触式ＩＣカ−ド部）を着脱可能に構成する。【選択図】　　図２
2004038657.tif 000002
【特許請求の範囲】
【請求項１】
必要に応じて所定の情報処理を行なう携帯端末部と、
この携帯端末部に対し着脱可能にセットされ、外部装置との間で無線による通信を行なうためのアンテナと、
前記携帯端末部に対して固定され、かつ、前記セットされたアンテナと電気的に接続され、当該アンテナを介して外部装置との間で無線による通信を行なうことにより所定の情報処理を行なう非接触式ＩＣカード機能を備えたＩＣモジュールと、
を具備したことを特徴とする非接触式ＩＣカード機能搭載携帯端末装置。
【請求項２】
前記アンテナをシール状に形成し、このシール状のアンテナを前記携帯端末部に対し貼る、剥がすことにより着脱可能としたことを特徴とする請求項１記載の非接触式ＩＣカード機能搭載携帯端末装置。
【請求項３】
前記アンテナを前記携帯端末部に対してスライド可能なスライド式に形成するとともに、前記携帯端末部とはコネクタにより接続する構造とし、このコネクタを着脱することにより当該アンテナのみを着脱可能としたことを特徴とする請求項１記載の非接触式ＩＣカード機能搭載携帯端末装置。
【請求項４】
前記アンテナ自体を前記携帯端末部に対し固定するとともに、前記携帯端末部とは接続用のジャンパ手段を介して電気的に接続する構造とし、このジャンパ手段を着脱することにより当該アンテナのみを仮想的に着脱可能としたことを特徴とする請求項１記載の非接触式ＩＣカード機能搭載携帯端末装置。
【請求項５】
必要に応じて所定の情報処理を行なう携帯端末部と、
この携帯端末部に対して固定され、外部装置との間で無線による通信を行なうためのアンテナと、
前記携帯端末部に対し着脱可能にセットされ、かつ、前記アンテナと電気的に接続され、当該アンテナを介して外部装置との間で無線による通信を行なうことにより所定の情報処理を行なう非接触式ＩＣカード機能を備えたＩＣモジュールと、
を具備したことを特徴とする非接触式ＩＣカード機能搭載携帯端末装置。
【請求項６】
前記ＩＣモジュールは、前記携帯端末部に対し接続用のコネクタを介して電気的に接続する構造とし、このコネクタを着脱することにより当該ＩＣモジュールのみを着脱可能としたことを特徴とする請求項５記載の非接触式ＩＣカード機能搭載携帯端末装置。
【請求項７】
前記ＩＣモジュールを前記携帯端末部に対し固定するとともに、前記携帯端末部とは接続用のジャンパ手段を介して電気的に接続する構造とし、このジャンパ手段を着脱することにより当該ＩＣモジュールのみを仮想的に着脱可能としたことを特徴とする請求項５記載の非接触式ＩＣカード機能搭載携帯端末装置。
【請求項８】
必要に応じて所定の情報処理を行なう携帯端末部と、
外部装置との間で無線による通信を行なうためのアンテナと、このアンテナと電気的に接続され、当該アンテナを介して外部装置との間で無線による通信を行なうことにより所定の情報処理を行なう非接触式ＩＣカード機能を備えたＩＣモジュールとが一体化されてなり、前記携帯端末部に対し着脱可能にセットされる非接触式ＩＣカード部と、
を具備したことを特徴とする非接触式ＩＣカード機能搭載携帯端末装置。
【請求項９】
前記非接触式ＩＣカード部は、前記携帯端末部に対し接続用のコネクタを介して電気的に接続する構造とし、このコネクタを着脱することにより当該非接触式ＩＣカード部を着脱可能としたことを特徴とする請求項８記載の非接触式ＩＣカード機能搭載携帯端末装置。
【請求項１０】
前記非接触式ＩＣカード部を前記携帯端末部に対し固定するとともに、前記携帯端末部とは接続用のジャンパ手段を介して電気的に接続する構造とし、このジャンパ手段を着脱することにより当該非接触式ＩＣカード部を仮想的に着脱可能としたことを特徴とする請求項８記載の非接触式ＩＣカード機能搭載携帯端末装置。
【発明の詳細な説明】
【０００１】
【発明の属する技術分野】
本発明は、たとえば、乗車券として使用される非接触式ＩＣカード機能を搭載した携帯電話機や携帯情報機器（ＰＤＡ）などの非接触式ＩＣカード機能搭載携帯端末装置に関する。
【０００２】
【従来の技術】
従来、たとえば、携帯電話機やＰＤＡと称される携帯情報機器などの携帯端末装置と、自動改札装置を通過するための乗車券として使用される非接触式ＩＣカード（いわゆる無線カード）は、別々に携帯されていたが、最近、携帯端末装置に非接触式ＩＣカードを搭載することが要求されつつある。非接触式ＩＣカードを搭載した携帯端末装置を携帯すれば、非接触式ＩＣカードを持たずに済むため、利便性の向上にもつながる。
【０００３】
【発明が解決しようとする課題】
しかしながら、単に携帯端末装置に非接触式ＩＣカード機能を組込んだのでは、携帯端末機能と非接触ＩＣカード機能との分離が要求された場合に、その分離が極めて困難である。
【０００４】
そこで、本発明は、必要に応じて非接触式ＩＣカード機能を容易に分離することが可能で、より一層、利便性の向上が図れる非接触式ＩＣカード機能搭載携帯端末装置を提供することを目的とする。
【０００５】
【課題を解決するための手段】
本発明の非接触式ＩＣカード機能搭載携帯端末装置は、必要に応じて所定の情報処理を行なう携帯端末部と、この携帯端末部に対し着脱可能にセットされ、外部装置との間で無線による通信を行なうためのアンテナと、前記携帯端末部に対して固定され、かつ、前記セットされたアンテナと電気的に接続され、当該アンテナを介して外部装置との間で無線による通信を行なうことにより所定の情報処理を行なう非接触式ＩＣカード機能を備えたＩＣモジュールとを具備している。
【０００６】
また、本発明の非接触式ＩＣカード機能搭載携帯端末装置は、必要に応じて所定の情報処理を行なう携帯端末部と、この携帯端末部に対して固定され、外部装置との間で無線による通信を行なうためのアンテナと、前記携帯端末部に対し着脱可能にセットされ、かつ、前記アンテナと電気的に接続され、当該アンテナを介して外部装置との間で無線による通信を行なうことにより所定の情報処理を行なう非接触式ＩＣカード機能を備えたＩＣモジュールとを具備している。
【０００７】
さらに、本発明の非接触式ＩＣカード機能搭載携帯端末装置は、必要に応じて所定の情報処理を行なう携帯端末部と、外部装置との間で無線による通信を行なうためのアンテナと、このアンテナと電気的に接続され、当該アンテナを介して外部装置との間で無線による通信を行なうことにより所定の情報処理を行なう非接触式ＩＣカード機能を備えたＩＣモジュールとが一体化されてなり、前記携帯端末部に対し着脱可能にセットされる非接触式ＩＣカード部とを具備している。
【０００８】
【発明の実施の形態】
以下、本発明の実施の形態について図面を参照して説明する。なお、以下の説明においては、携帯端末装置として例えば携帯電話機に適用した場合について説明する。
【０００９】
図１は、本実施の形態に係る携帯端末装置の構成を概略的に示すものである。本携帯端末装置は、大きく分けて、図示しない携帯電話基地局との間で８００ＭＨｚ帯あるいは１．５ＧＨｚ帯の周波数を有する電波を用いて無線による通信を行なうことにより通話処理などを行なう携帯電話機部（携帯端末部）１１と、鉄道機関における非接触式ＩＣカード対応の自動改札装置との間で１３．５６ＭＨｚ帯の周波数を有する電波を用いて無線による通信を行なうことにより改札処理用データの授受を行なう非接触式ＩＣカード部２１とから構成されている。
【００１０】
携帯電話機部１１は、携帯電話基地局との間で無線通信によるデータの送受信を行なうためのアンテナ１２、送受信データの変調および復調、各種データの表示、ダイヤルボタンなどのセンサなどを行なう制御部１３、各種データ処理や全体的な制御を行なうＣＰＵ１４、各種データを記憶するＥＥＰＲＯＭなどの不揮発性のメモリ１５、および、各部に動作電圧を供給するバッテリ１６から構成されている。
【００１１】
非接触式ＩＣカード部２１は、主に、自動改札装置との間でデータを送受信するための送受信アンテナ２２、この送受信アンテナ２２を介して自動改札装置との間で無線による通信を行なうことにより改札処理用データの授受を行なう非接触式ＩＣカード機能を備えたＩＣモジュール（たとえば、ＬＳＩ）２３、同調用コンデンサ２４、および、平滑用コンデンサ２５から構成されている。
なお、同調用コンデンサ２４や平滑用コンデンサ２５は、ＩＣモジュール２３の内部に形成される場合もある。また、同調用コンデンサ２４を送受信アンテナ２２内に形成する場合もある。
【００１２】
ＩＣモジュール２３は、送受信アンテナ２２からの受信信号を整流する整流回路３１、整流回路３１の出力を２値化する受信回路３２、受信回路３２の出力に対し復調処理を行なう復調回路３３、復調回路３３から得られる受信データに対し所定の処理を行なったり、送信データを生成したりする制御部３４、各種データを記憶するＥＥＰＲＯＭなどの不揮発性のメモリ３５、制御部３４からの送信データに対し変調処理を行なう変調回路３６、変調回路３６の出力を増幅して整流回路３１を介して送受信アンテナ１２に供給する送信回路３７、および、整流回路３１の出力を平滑することにより安定化された直流電圧を生成して各部に動作電圧として供給する電源部３８から構成されている。
携帯電話機部１１のＣＰＵ１４とＩＣモジュール２３内の制御部３４とは電気的に接続されていて、互いにデータの授受を行なうことが可能になっている。
【００１３】
なお、携帯電話機部１１のＣＰＵ１４およびメモリ１５とＩＣモジュール２３内の制御部３４およびメモリ３５は１つのＣＰＵおよびメモリで共用してもよい。
また、携帯電話機部１１のバッテリ１６から、ＩＣモジュール２３内の各部にも動作電圧を供給するようにしてもよい。
【００１４】
さて、非接触式ＩＣカード部２１を着脱可能にするためには、非接触式ＩＣカード部２１の各構成部分のどれかを着脱可能にすればよく、以下、その方法について説明する。なお、ここでは、平滑用コンデンサ２５をＩＣモジュール２３の内部に形成し、同調用コンデンサ２４を送受信アンテナ２２に含む場合について示す。したがって、非接触式ＩＣカ−ド部２１は、送受信アンテナ２２とＩＣモジュール２３とに分けられる。
【００１５】
また、アンテナについては、通常の非接触式ＩＣカードの場合、受信した電磁波により動作電源を生成するため、同調用コンデンサにより共振周波数をリーダライタが送信する周波数付近に設定し、送受信に有利になるようにする。しかし、非接触式ＩＣカード機能搭載携帯端末装置の場合、動作電源は携帯端末部から供給するとか、低消費電力型の非接触ＬＳＩの場合は、同調用コンデンサを必要としない場合も考えられることを明記しておく。
【００１６】
図２は、送受信アンテナ２２を着脱可能にした場合の概略構成を示している。非接触式ＩＣカード部２１は、図２に示すとおり、送受信アンテナ２２とＩＣモジュール２３とで構成されるため、送受信アンテナ２２を外すことにより、非接触式ＩＣカード機能を使用できなくすることが可能となる。
【００１７】
なお、送受信アンテナ２２の着脱方法としては、様々な場合が考えられる。たとえば、送受信アンテナ２２をシール状に形成し、このシール状の送受信アンテナ２２を携帯電話機部１１に対し貼る、剥がすことにより着脱可能とする。
あるいは、送受信アンテナ２２を携帯電話機部１１に対してスライド可能なスライド式に形成するとともに、携帯電話機部１１とはコネクタにより接続する構造とし、このコネクタを着脱することにより当該送受信アンテナ２２のみを着脱可能とする。
【００１８】
あるいは、送受信アンテナ２２自体を携帯電話機部１１に対し固定するとともに、携帯電話機部１１とは接続用のジャンパピン（ジャンパ手段）を介して電気的に接続する構造とし、このジャンパピンを着脱することにより当該送受信アンテナ２２のみを仮想的に着脱可能とする。
なお、ジャンパピンは、特殊なものにすることにより、偽造できないなどの工夫をしておくことが望ましい。
【００１９】
図３は、ＩＣモジュール２３を着脱可能にした場合の概略構成を示している。非接触式ＩＣカード部２１は、図３に示すとおり、送受信アンテナ２２とＩＣモジュール２３とで構成されるため、ＩＣモジュール２３を外すことにより、非接触式ＩＣカード機能を使用できなくすることが可能となる。
【００２０】
なお、ＩＣモジュール２３の着脱方法としては、様々な場合が考えられる。たとえば、ＩＣモジュール２３を、携帯電話機部１１に対し接続用のコネクタを介して電気的に接続する構造とし、このコネクタを着脱することにより当該ＩＣモジュール２３のみを着脱可能とする。
【００２１】
あるいは、ＩＣモジュール２３自体を携帯電話機部１１に対し固定するとともに、携帯電話機部１１とは接続用のジャンパピン（ジャンパ手段）を介して電気的に接続する構造とし、このジャンパピンを着脱することにより当該ＩＣモジュール２３のみを仮想的に着脱可能とする。
【００２２】
図４は、非接触式ＩＣカ−ド部２１を着脱可能にした場合の概略構成を示している。非接触式ＩＣカード部２１は、図４に示すとおり、送受信アンテナ２２とＩＣモジュール２３とで構成されるため、非接触式ＩＣカード部２１を外すことにより、非接触式ＩＣカード機能を使用できなくすることが可能となる。
【００２３】
なお、非接触式ＩＣカ−ド部２１の着脱方法としては、様々な場合が考えられる。たとえば、非接触式ＩＣカ−ド部２１を、携帯電話機部１１に対し接続用のコネクタを介して電気的に接続する構造とし、このコネクタを着脱することにより当該非接触式ＩＣカ−ド部２１を着脱可能とする。
【００２４】
あるいは、非接触式ＩＣカ−ド部２１自体を携帯電話機部１１に対し固定するとともに、携帯電話機部１１とは接続用のジャンパピン（ジャンパ手段）を介して電気的に接続する構造とし、このジャンパピンを着脱することにより当該非接触式ＩＣカ−ド部２１を仮想的に着脱可能とする。
【００２５】
このように、上記実施の形態によれば、携帯電話機としての携帯端末装置に非接触式ＩＣカード機能を搭載し、非接触式ＩＣカード機能のアンテナ、あるいは、ＩＣモジュール、あるいは、アンテナおよびＩＣモジュール（非接触式ＩＣカ−ド部）を着脱可能に構成することにより、必要に応じて非接触式ＩＣカード機能を容易に分離することが可能で、より一層、利便性の向上が図れる。
【００２６】
なお、前記実施の形態では、携帯端末装置として携帯電話機に適用した場合について説明したが、本発明はこれに限定されるものではなく、たとえば、携帯電話機能あるいは携帯電話機と同等な無線通信機能を有するＰＤＡと称される携帯情報機器などにも同様に適用できる。
【００２７】
また、前記実施の形態では、乗車券として用いられる非接触式ＩＣカードに適用した場合について説明したが、本発明はこれに限定されるものではなく、他の用途に用いられる非接触式ＩＣカードにも同様に適用できる。
【００２８】
【発明の効果】
以上詳述したように本発明によれば、必要に応じて非接触式ＩＣカード機能を容易に分離することが可能で、より一層、利便性の向上が図れる非接触式ＩＣカード機能搭載携帯端末装置を提供できる。
【図面の簡単な説明】
【図１】本発明の実施の形態に係る携帯端末装置の構成を概略的に示すブロック図。
【図２】送受信アンテナを着脱可能にした場合の携帯端末装置の概略構成を示すブロック図。
【図３】ＩＣモジュールを着脱可能にした場合の携帯端末装置の概略構成を示すブロック図。
【図４】非接触式ＩＣカ−ド部を着脱可能にした場合の携帯端末装置の概略構成を示すブロック図。
【符号の説明】
１１…携帯電話機部（携帯端末部）、１２…アンテナ、１３…制御部、１４…ＣＰＵ、１５…メモリ、１６…バッテリ、２１…非接触式ＩＣカード部、２２…送受信アンテナ、２３…ＩＣモジュール（たとえば、ＬＳＩ）、２４…同調用コンデンサ、２５…平滑用コンデンサ、３１…整流回路、３２…受信回路、３３…復調回路、３４…制御部、３５…メモリ、３６…変調回路、３７…変調回路、３８…電源部。
【図１】
2004038657.tif 000003
【図２】
2004038657.tif 000004
【図３】
2004038657.tif 000005
【図４】
2004038657.tif 000006